(57)【特許請求の範囲】
【請求項１】
画像が複数ページに亘って予め配置されたアルバムを編集するアルバム編集装置において、
前記ページ毎に予め配置された前記画像を含むレイアウトを記憶したレイアウト記憶手段と、
前記アルバムのページ数の追加または削除を含む編集指示を受け付ける編集入力手段と、
前記編集指示により編集されるページ以降に、連続する２つのページの境目部分を跨るように１つ以上の前記画像を配置する見開きページが存在するか否かを判別する見開きページ判別手段と、
該見開きページ判別手段により見開きページが存在すると判別された際、前記編集指示が１つ以上の画像を有する１ページを追加するものである場合は、前記１つ以上の画像を連続する２ページに跨るように配置しまたは、２つ以上の画像を連続する２ページに分けて配置し、続いて前記連続する２ページを前記編集されるページに追加するように前記編集指示を変更する編集指示変更手段と、
該編集指示変更手段により変更された編集指示に基づくレイアウトのアルバムを表示する表示手段を備えることを特徴とするアルバム編集装置。
【請求項２】
画像が複数ページに亘って予め配置されたアルバムを編集するアルバム編集装置において、
前記ページ毎に予め配置された前記画像を含むレイアウトを記憶したレイアウト記憶手段と、
前記アルバムのページ数の追加または削除を含む編集指示を受け付ける編集入力手段と、
前記編集指示により編集されるページ以降に、連続する２つのページの境目部分を跨るように１つ以上の前記画像を配置する見開きページが存在するか否かを判別する見開きページ判別手段と、
該見開きページ判別手段により見開きページが存在すると判別された際、前記編集指示が１つ以上の画像を有する１ページを削除するものである場合は、前記削除される１ページの前後いずれかのページに配置される１つ以上の画像を連続する２ページに跨るように配置しまたは、前記削除される１ページの前後いずれかのページに配置される２つ以上の画像を連続する２ページに分けて配置し、続いて前記連続する２ページを前記削除された１ページに追加するように前記編集指示を変更する編集指示変更手段と、
該編集指示変更手段により変更された編集指示に基づくレイアウトのアルバムを表示する表示手段を備えることを特徴とするアルバム編集装置。
【請求項３】
前記画像の撮影日時の情報を付帯情報として有し、
該付帯情報から撮影日時を参照して前記画像を嵌め込むための該撮影日時に対応するテンプレートを前記編集指示に設定するテンプレート設定手段を更に備え、
前記テンプレート設定手段が、前記編集指示変更手段により変更された編集指示に基づいて追加される連続する２ページに配置された画像に係る撮影日時から、該追加される連続する２ページが共に同一のテンプレートとなるように新たなテンプレートを設定するものであることを特徴とする請求項１または２記載のアルバム編集装置。
【請求項４】
前記画像の撮影日時の情報を付帯情報として有し、
前記編集指示変更手段により変更された編集指示に基づき追加される連続する２ページに配置された画像に係る撮影日時から、該複数の画像が同一の撮影日となるように前記編集指示を設定する見開きページ設定手段を更に備えるものであることを特徴とする請求項１または２記載のアルバム編集装置。
【請求項５】
画像が複数ページに亘って予め配置されたアルバムを編集するアルバム編集方法において、
前記ページ毎に予め配置された前記画像を含むレイアウトを記憶し、
前記アルバムのページ数の追加または削除を含む編集指示を受け付け、
前記編集指示により編集されるページ以降に、連続する２つのページの境目部分を跨るように１つ以上の前記画像を配置する見開きページが存在するか否かを判別し、
該見開きページが存在すると判別された際、前記編集指示が１つ以上の画像を有する１ページを追加するものである場合は、前記１つ以上の画像を連続する２ページに跨るように配置しまたは、２つ以上の画像を連続する２ページに分けて配置し、続いて前記連続する２ページを前記編集されるページに追加するように前記編集指示を変更し、
該変更された編集指示に基づくレイアウトのアルバムを表示することを特徴とするアルバム編集方法。
【請求項６】
画像が複数ページに亘って予め配置されたアルバムを編集するアルバム編集方法において、
前記ページ毎に予め配置された前記画像を含むレイアウトを記憶し、
前記アルバムのページ数の追加または削除を含む編集指示を受け付け、
前記編集指示により編集されるページ以降に、連続する２つのページの境目部分を跨るように１つ以上の前記画像を配置する見開きページが存在するか否かを判別し、
該見開きページが存在すると判別された際、前記編集指示が１つ以上の画像を有する１ページを削除するものである場合は、前記削除される１ページの前後いずれかのページに配置される１つ以上の画像を連続する２ページに跨るように配置しまたは、前記削除される１ページの前後いずれかのページに配置される２つ以上の画像を連続する２ページに分けて配置し、続いて前記連続する２ページを前記削除された１ページに追加するように前記編集指示を変更し、
該変更された編集指示に基づくレイアウトのアルバムを表示することを特徴とするアルバム編集方法。
【請求項７】
コンピュータに画像が複数ページに亘って予め配置されたアルバムを編集させるプログラムにおいて、
前記ページ毎に予め配置された前記画像を含むレイアウトを記憶する機能と、
前記アルバムのページ数の追加または削除を含む編集指示を受け付ける機能と、
前記編集指示により編集されるページ以降に、連続する２つのページの境目部分を跨るように１つ以上の前記画像を配置する見開きページが存在するか否かを判別する機能と、
該見開きページが存在すると判別された際、前記編集指示が１つ以上の画像を有する１ページを追加するものである場合は、前記１つ以上の画像を連続する２ページに跨るように配置しまたは、２つ以上の画像を連続する２ページに分けて配置し、続いて前記連続する２ページを前記編集されるページに追加するように前記編集指示を変更する機能と、
該変更された編集指示に基づくレイアウトのアルバムを表示する機能を実現させるためのプログラム。
【請求項８】
コンピュータに画像が複数ページに亘って予め配置されたアルバムを編集させるプログラムにおいて、
前記ページ毎に予め配置された前記画像を含むレイアウトを記憶する機能と、
前記アルバムのページ数の追加または削除を含む編集指示を受け付ける機能と、
前記編集指示により編集されるページ以降に、連続する２つのページの境目部分を跨るように１つ以上の前記画像を配置する見開きページが存在するか否かを判別する機能と、
該見開きページが存在すると判別された際、前記編集指示が１つ以上の画像を有する１ページを削除するものである場合は、前記削除される１ページの前後いずれかのページに配置される１つ以上の画像を連続する２ページに跨るように配置しまたは、前記削除される１ページの前後いずれかのページに配置される２つ以上の画像を連続する２ページに分けて配置し、続いて前記連続する２ページを前記削除された１ページに追加するように前記編集指示を変更する機能と、
該変更された編集指示に基づくレイアウトのアルバムを表示する機能を実現させるためのプログラム。
【発明の詳細な説明】
【技術分野】
【０００１】
本発明は、画像が複数ページに亘って予め配置されたアルバムを編集するアルバム編集装置および方法ならびにプログラムに関するものである。
【背景技術】
【０００２】
従来、デジタルカメラ等で撮影し記録媒体に記録した多数の画像を、上記記録媒体から読み出して電子アルバム上に配置し、電子アルバムの中で編集する際に、電子アルバムの中で編集されているページ上の画像枚数を検知し、検知された画像枚数に応じて最適なレイアウトを自動的に選択し、選択されたレイアウトにしたがって画像を配置するアルバム編集装置が提案されている（特許文献１参照）。
【０００３】
また、電子アルバムのページ上のテンプレートを異なるテンプレートに入れ替える際に、自動的にテンプレートの入れ替え作業を行なうページ編集装置が提案されている（特許文献２参照）。
【特許文献１】特開２００６―７４５９２号公報
【特許文献２】特開２００６−２８５５７８号公報
【発明の開示】
【発明が解決しようとする課題】
【０００４】
ところで、見開きページを有する書籍のような形態で一覧表示してなる電子アルバムも検討されている。
【０００５】
このような場合には、従来のアルバムのページを追加・削除する機能を有するアルバム編集装置では、編集されるページ以降に見開きページとなる連続する２つのページの境目部分を跨るように画像が配置される場合、すなわち編集されるページ以降に見開きページが存在する場合、編集によって画像がずれてしまい、本来見開きページの左右に表示されるべき画像がページの表裏に別れて表示されるか、うまく表示されない可能性がある。
【０００６】
そのため、上記のようにページ編集によって、見開きページの画像の配置をずらさないようにしたいという要請がある。
【０００７】
本発明は、上記事情に鑑みてなされたものであり、ページ編集によって生じる可能性のある２つのページの境目部分を跨るように画像が配置される見開きページの画像の配置を維持することが可能なアルバム編集装置および方法およびならびにプログラムを提供することを目的とするものである。
【課題を解決するための手段】
【０００８】
本発明のアルバム編集装置は、画像が複数ページに亘って予め配置されたアルバムを編集するアルバム編集装置であって、ページ毎に予め配置された前記画像を含むレイアウトを記憶したレイアウト記憶手段と、アルバムのページ数の追加または削除を含む編集指示を受け付ける編集入力手段と、編集指示により編集されるページ以降に、連続する２つのページの境目部分を跨るように１つ以上の前記画像を配置する見開きページが存在するか否かを判別する見開きページ判別手段と、見開きページ判別手段により見開きページが存在すると判別された際、編集指示により追加または削除されるページの数が零または偶数の数となるように前記レイアウトを変更する編集指示変更手段と、編集指示変更手段により変更されたレイアウトのアルバムを表示する表示手段を備えることを特徴とするものである。
【０００９】
ここで、「レイアウト」とは、アルバムのページの画像等の割付を意味する。具体的には、アルバムのページにおける画像、画像を嵌め込むテンプレート、更には文字、記号等を割付けた画像データであってもよい。
【００１０】
また、「編集指示」とは、利用者がアルバムの特定のページに対し加工・修正する意思を表す編集内容を意味する。具体的には、アルバムの特定のページ数を追加または削除する等の編集内容を含む。
【００１１】
また、「見開きページ」とは、アルバムを開いたときの左右２ページに跨って、１つの画像または複数まとめて見せたい画像が配置されたページを意味する。
【００１２】
「編集指示制御手段」は、編集されるページ以降に見開きページが存在すると判別された際、その編集により見開きページがずれないように、編集指示により追加または削除されるページの数が零または偶数の数となるようにレイアウトを変更するものである。追加または削除されるページの数が零または偶数であれば、それ以降の見開きページにずれが生じないからである。ここで、追加または削除されるページの数が零となるようにとは、画像を追加または削除しても、ページに変化が生じないように、例えば編集するページに余裕があり、そのページの大きさに比して小さい画像を一つ追加するときには、そのページにある画像の位置をずらして追加される画像のためのスペースを空けること、あるいは編集するページに複数の画像があるときには、そのうちの一部の画像を削除することを意味するもので、これによりページの増減数を零にすることができる。あるいは１ページを削除する際に、削除される１ページの前後いずれかのページに配置される１つの画像をその削除しようとするページに跨るように連続する２ページに配置するか、または削除される１ページの前後いずれかのページに配置される２つ以上の画像の一部をその削除しようとするページに移動して連続する２ページに分けて配置するように編集指示を変更するようにしても、削除されるページの数を零にすることができる。また、編集指示が１つ以上の画像を有する１ページを追加するものである際には、１つ以上の画像を連続する２ページに跨るように配置するか、または、２つ以上の画像を連続する２ページに分けて配置し、連続する２ページが編集により追加されるように編集指示を変更するものであってもよい。
【００１３】
本発明のアルバム編集装置において、撮影日時の情報を有する画像の付帯情報から撮影日時等を参照して、画像を嵌め込むための撮影日時等に対応するテンプレートを編集指示等に設定するテンプレート設定手段を更に備え、テンプレート設定手段が、編集指示変更手段により変更された編集指示に基づいて追加される連続する２ページに配置された画像に係る撮影日時から、追加される連続する２ページが共に同一のテンプレートとなるように新たなテンプレートを設定するものであっても
よい。
【００１４】
本発明のアルバム編集装置において、画像の撮影日時の情報を有する付帯情報を参照し、編集指示変更手段により変更された編集指示に基づき追加される連続する２ページに配置された複数の画像に係る撮影日時から、上記複数の画像が同一の撮影日となるように編集指示を設定する見開きページ設定手段を更に備えるものであってもよい。
【００１５】
本発明のアルバム編集方法は、画像が複数ページに亘って予め配置されたアルバムを編集するアルバム編集方法において、ページ毎に予め配置された前記画像を含むレイアウトを記憶し、アルバムのページ数の追加または削除を含む編集指示を受け付け、編集指示により編集されるページ以降に、連続する２つのページの境目部分を跨るように１つ以上の前記画像を配置する見開きページが存在するか否かを判別し、見開きページが存在すると判別された際、前記編集指示により追加または削除されるページの数が零または偶数の数となるように前記レイアウトを変更し、変更されたレイアウトのアルバムを表示することを特徴とする。
【００１６】
本発明のコンピュータに実現させるためのプログラムは、画像が複数ページに亘って予め配置されたアルバムを編集させるプログラムにおいて、ページ毎に予め配置された前記画像を含むレイアウトを記憶する機能と、アルバムのページ数の追加または削除を含む編集指示を受け付ける機能と、編集指示により編集されるページ以降に、連続する２つのページの境目部分を跨るように１つ以上の画像を配置する見開きページが存在するか否かを判別する機能と、見開きページが存在すると判別された際、編集指示により追加または削除されるページの数が零または偶数の数となるようにレイアウトを変更する機能と、変更されたレイアウトのアルバムを表示する機能を有することを特徴とするものである。
【発明の効果】
【００１７】
本発明のアルバム編集装置および方法ならびにプログラムによれば、編集指示により編集される所定のページ以降に、連続する２つのページの境目部分を跨るように少なくとも１つ以上の前記画像が配置される見開きページが存在するか否かを判別し、見開きページが存在する際、編集指示による追加又は削除されるページ数を零または偶数の数となるようにレイアウトを変更するようにしたので、編集によっても見開きページの画像の配置をそのまま維持することが可能となる。
【００１８】
また、画像の付帯情報に記録された撮影日時を参照し、画像を嵌め込むテンプレートを設定するようにした場合には、編集指示変更手段により変更された編集指示により追加される連続する複数のページのテンプレートも自動的に設定することが可能となり、これにより利用者にとって見栄えのよいアルバム編集が可能となる。
【００１９】
また、画像の付帯情報に記録された撮影日時を参照し、編集指示変更手段により変更された編集指示により連続する複数の追加されるページに配置される画像に係る撮影日時等から、上記画像が同一の撮影日等となるように変更するようにした場合、連続する複数の追加されるページの画像が、同一の撮影日時等である画像のみを自動的に配置することが可能となり、利用者にとって、撮影日時等が容易に把握しやすいアルバム編集が可能となる。
【発明を実施するための最良の形態】
【００２０】
＜第一の実施形態＞
以下、本発明のアルバム編集装置の第一の実施の形態について説明する。
【００２１】
図１は本発明のアルバム編集装置の構成を示すブロック図である。図１に示すアルバム編集装置１００は、予め利用者に画像やテンプレート、文字、記号等を入力される。これによりアルバム編集装置１００は、画像が複数ページに亘って予め配置されたアルバムに関しての情報が既に記憶されている。
【００２２】
アルバム編集装置１００は、デジタルカメラ等で被写体を撮影して得られた各画像と上記各画像の付帯情報を含む撮影画像情報が記録されたリムーバブル記録メディアやＣＤ-ＲＯＭ等からなる記録媒体８９と、記録媒体８９から撮影画像情報を供給し、利用者から電子アルバムを作成するためのアルバムのページ毎に配置する画像およびテンプレート、文字、記号を含むレイアウト、アルバム注文情報等の指定を受け付け、かつ電子アルバム作成のためのレイアウト、アルバム注文情報や電子アルバムのページ数の追加または削除の編集指示を受け付ける編集入力部８１と、上記編集入力部８１からレイアウトおよびアルバム注文情報、編集指示等を入力し記憶するハードディスクであるレイアウト記憶部８２と、上記編集入力部８１による受け付けた編集指示により編集される所定のページ以降に、連続する２つのページの境目部分を跨るように少なくとも１つ以上の前記画像が配置される見開きページが存在するか否か等を判別する見開きページ判別部８５と、上記見開きページ判別部８５により見開きページが存在する際、上記編集指示による追加又は削除されるページ数を零または偶数の数となるようにする編集指示等を変更する編集指示変更部２０と、上記編集指示変更部２０により変更された編集指示のレイアウトからなるアルバムを連続する見開きページＭ１〜Ｍｎ毎に表示する表示制御部４０とを備えている。
【００２３】
上記表示制御部４０は、この表示制御部４０の一部をなす印刷部４２を有しており、この印刷部４２がアルバム冊子用原紙（（図示は省略））に各画像を印刷し、アルバム冊子５を作製する。
【００２４】
上記画像は被写体を撮影して得られたものである。
【００２５】
上記付帯情報は撮影日時の情報のみならず、機種情報、撮影情報、特定の被写体（人物、ペット、植物、乗り物、建物）を検出した情報、画像処理情報、プリント注文枚数の情報等であってもよい。
【００２６】
上記アルバム編集装置１００によりアルバムを作成する作用について説明する。はじめに、アルバムの各ページにそれぞれに画像を配置し、ここでは９ページからなる電子アルバムを表示してアルバム冊子５を作製する場合について説明する。
【００２７】
編集入力部８１が、利用者により入力された電子アルバムの１つ以上の画像が配置された特定ページの追加または削除の編集指示を受け付ける。
【００２８】
そして、レイアウト記憶部８２は、上記編集入力部８１より受け付けた編集指示を記憶し、上記編集指示により上記追加または削除される特定ページが存在するか否かを確認する。万一、追加または削除される特定ページが存在しない場合、後述する表示制御部４０において、追加または削除するページが存在しない旨を表示する。
【００２９】
また、レイアウト記憶部８２は、編集指示に追加または削除する特定ページが存在する場合、見開きページ判別部８５により見開きページが存在するか否かを判断するように指令を出す。
【００３０】
見開きページ判別部８５は、既に利用者が編集入力部８１により入力済みのレイアウト等を記憶したレイアウト記憶部８２から取得した画像やテンプレート等のレイアウトの情報を用いて、編集入力部８１により編集される特定ページ以降に見開きページが存在するか否かを判別する。
【００３１】
具体的には、連続する２つのページの境目部分を跨るように画像が配置されるようにレイアウトされている場合、レイアウト記憶部８２は、ページ毎にレイアウトを記憶しており、連続する２つのページが見開きページである旨のフラグをページ毎に作成し、記憶しておく。
【００３２】
なお、レイアウト記憶部８５は、ページ毎ではなく、見開きページ単位（例えばＭ１〜Ｍｎ）に記憶しておいてもよい。その際には、レイアウト記憶部８５は、連続する２つのページの境目部分を跨るように画像が配置された場合、見開きページ毎に見開きページである旨のフラグを作成し、記憶しておいてもよい。
【００３３】
見開きページ判別部８５は、レイアウト記憶部８２により作成されたフラグにより編集される特定ページ以降に見開きページが存在するか否かを判別することが可能となる。
【００３４】
編集指示変更部２０は、見開きページ判別部８５により見開きページが存在するか否かの指令を受け、編集指示を変更する必要性がある場合に、利用者の意図する編集指示を変更する。
【００３５】
ここで、編集指示変更部２０の具体的な内容を説明する前に、編集によって生ずる見開きページの画像のずれについて簡単に説明する。
【００３６】
追加されるページが偶数の枚数であれば、見開きページが存在しても特に編集指示の変更は必要無い。追加されるページが偶数の枚数であれば、見開きページ上の画像の配置をそのまま維持され、ずれることは無いからである。
【００３７】
しかし、追加されるページが奇数の枚数であれば、見開きページ上の画像の配置がずれるため、編集指示の変更が必要となる。
【００３８】
一方、特定のページを追加のみならず、削除される場合についても説明する。
【００３９】
削除されるページが偶数の枚数であれば、見開きページが存在しても特に編集指示の変更は必要無い。削除されるページが偶数の枚数であれば、見開きページ上の画像の配置をそのまま維持され、ずれることは無いからである。
【００４０】
しかし、削除されるページが奇数の枚数であれば、見開きページ上の画像の配置がずれるため、追加する場合と同様に編集指示の変更が必要となる。
【００４１】
このような見開きページに配置された画像のずれについて、図２を用いて説明する。図２に示すように、各画像をアルバムに表示するとき４ページから５ページを見開き
ページで１つの画像を表示するレイアウトが存在する。この場合、編集指示として、３ページ目に新たなページを追加する編集を行なうと、新たな５ページから６ページ（旧４ページから旧５ページ）は見開きページとして表示することができず、ずれてしまう。新たなページを追加する場合のみならず、削除した場合も同様の問題が生ずるのは、前述したとおりである。
【００４２】
そこで、アルバム編集装置１００は、見開きページ判別部８５により旧４ページから５ページのような見開きページが存在するか否かを判別された情報を利用し、判別された見開きページが存在する場合に編集指示を変更するように編集指示変更部２０に指令をだすものである。
【００４３】
ここで、編集指示変更部２０は、どのように編集指示を変更するか図３〜図６を用いて、説明する。
【００４４】
編集指示変更部２０は、編集（削除または追加）される特定ページ以降に見開きページが存在すると判別された際、編集指示により追加または削除されるページの数が零または偶数の数となるようにレイアウトを変更するものである。
【００４５】
例えば、編集指示変更部２０が、編集指示が複数の画像を有する１ページを削除するものである際に、画像が配置された連続する２ページを編集されるページに追加するように編集指示を変更するものである場合について、説明する。なお、１ページを削除することにより２ページに追加されることから、結果として削除されるページは零となり、追加されるページが１ページとなる。
【００４６】
図３を用いて説明すると、既に利用者により入力されたレイアウトは、９ページにより構成されているとする。最初と最後のページはいわゆる白ページである。１ページ目には、一枚の画像Ａが配置されている。２ページ目には二枚の画像Ｂ、画像Ｃが配置されている。３ページ目には三枚の画像Ｄ、画像Ｅ、画像Ｆが配置されている。４ページ目から５ページ目は２ページで１枚の画像Ｇが配置されている。見開きページで１つの画像を表示するように配置されている。
【００４７】
ここで編集指示により２ページ目を削除するものである場合、編集指示変更部３０は、３ページ目に配置されている画像Ｄ、画像Ｅ、画像Ｆを連続する２つのページに画像Ｄ〜Ｆを一定の振り分け方法により振り分け、削除される特定ページ（旧２ページ目）と画像Ｄ〜Ｆが配置されていた次ページ（旧３ページ）に対し、画像Ｄ〜Ｆが振り分けて配置された連続する２つのページを追加するように編集指示を変更する。
【００４８】
例えば、２ページ目に画像Ｄと画像Ｅを配置し、３ページ目には画像Ｆを配置する。
【００４９】
画像の一定の振り分け方法については、３ページ目に存在する複数の画像のいずれか１枚の画像を上記追加される連続する２つのページの前半または後半ページに振り分ければよい
具体的には、上述の付帯情報である解像度の情報、被写体（例えば、人物等）検出の情報、機種情報、画像処理情報等を基準にふりわける。
【００５０】
２ページに画像を振り分けることにより、振り分けられた画像を拡大処理する必要性が生ずる。また、利用者に人気のある画像であれば、拡大処理されても問題無い可能性が高い。それらを考慮し、付帯情報を利用し、拡大処理に相応しい画像を選択し、振り分ける必要がある。
【００５１】
例えば、被写体が写っているか否かの情報を利用する場合は、被写体が写っているもの、または被写体の検出された面積の大きいものを前半または後半ページに配置するように変更してもよい。
【００５２】
機種情報を利用する場合は、一眼レフカメラにより撮影されたものを前半または後半ページに配置するように変更してもよい。
【００５３】
画像処理情報を利用する場合は、カメラ内において画像処理されたものを前半または後半ページに配置するように変更してもよい。
【００５４】
プリント注文枚数を利用する場合は、プリント注文予定枚数の最も多い画像は、利用者にとって、人気がある画像と予想し、当該画像を前半または後半ページに配置するように変更してもよい。
【００５５】
更に、３ページ目に存在する複数の画像を均等に振り分けてもよいし、利用者の希望する振り分け枚数に応じて振り分けてもよい。
【００５６】
これらの振り分け方法のみならず、周知の技術により画像を振り分けてもよい。
【００５７】
なお、１ページ目に複数の画像が存在すれば、３ページ目ではなく、１ページ目の画像を振り分けてもよい。
【００５８】
以上により、編集指示変更部２０は、編集指示が複数の画像を有する奇数枚のページを削除するものである際に、削除される奇数枚のページの前後いずれかのページに配置される２つ以上の画像を連続する２ページに分けて配置し、連続する２ページを編集されるページに追加するように編集指示を変更するものである。
【００５９】
また、編集指示変更部２０が、編集指示が１つ以上の画像を有する１ページを削除するものである際に、削除される１枚のページの前後いずれかのページに配置される１つ以上の画像を、連続する２ページに１つ以上の画像を跨るように配置し、連続する２ページを編集されるページに追加するように編集指示を変更するものである場合について、説明する。なお、１ページを削除することにより２ページに追加されることから、結果として削除されるページは零となり、追加されるページが１ページとなる。
【００６０】
また、まず図４の場合は、既に利用者により入力されたレイアウトは、９ページにより構成されているとする。最初と最後のページはいわゆる白ページである。１ページ目には、一枚の画像Ａが配置されている。２ページ目には二枚の画像Ｂ、画像Ｃが配置されている。３ページ目には一枚の画像Ｄが配置されている。４ページ目から５ページ目は２ページで１枚の画像Ｅが配置されている。見開きページで１つの画像を表示するように配置されている。
【００６１】
ここで編集指示により２ページ目を削除するものである場合、編集指示変更部２０は、削除される２ページ目の前後のページは共に１枚の画像しか配置されていない。よって、図３で示すように削除されるページの前後いずれかのページに複数配置された画像を振り分けることができない。
【００６２】
そこで、編集指示変更部２０は、削除されるページの次ページである３ページ目の画像Ｄを用いて、削除される２ページ目から３ページ目に２ページで１枚の画像Ｄを、見開きページで１つの画像を表示するように配置するように編集指示を変更する。
【００６３】
なお、１枚の画像のみならず、複数の画像を見開きページの境界部分を跨ぐように配置してもよい。
【００６４】
以上により、編集指示変更部２０は、編集指示が１つ以上の画像を有する奇数ページ（例えば、１ページ）を削除するものである際に、連続する偶数ページ（例えば、２ページ）に１つ以上の画像を跨るように配置された連続する偶数ページを編集されるページに追加するように編集指示を変更するものである。
【００６５】
次に、編集指示変更部２０が、編集指示が複数の画像を有する１ページを追加するものである際に、２つ以上の画像を連続する２ページに分けて配置された連続する２ページを追加するように編集指示を変更するものである場合について、説明する。
【００６６】
まず図５の場合、既に利用者により入力されたアルバムは、９ページにより構成されているとする。最初と最後のページはいわゆる白ページである。１ページ目には、一枚の画像Ａが配置されている。２ページ目には二枚の画像Ｂ、画像Ｃが配置されている。３ページ目には三枚の画像Ｄ、画像Ｅ、画像Ｆが配置されている。４ページ目から５ページ目は２ページで１枚の画像Ｇが配置されている。見開きページで１つの画像を表示するように配置されている。
【００６７】
ここで編集指示により２ページ目を追加するものである場合、編集指示変更部３０は、追加されるページに配置されている画像Ｘ、画像Ｙ、画像Ｚを追加される２ページ目と次ページである３ページ目に画像Ｘ〜Ｚを振り分けるように配置するよう編集指示を変更する。
【００６８】
具体的には新たな２ページ目に画像Ｘと画像Ｙを配置し、３ページ目には画像Ｚを配置する。画像の振り分ける方法は、上述した振り分け方法を利用して振り分けても良い。
【００６９】
また、周知の技術により画像を振り分けてもよい。
【００７０】
以上により、編集指示変更部２０は、編集指示が複数の画像を有する奇数枚のページ（例えば、１ページ）を追加するものである際に、複数の画像を連続する偶数ページ（例えば、２ページ）に分けて配置された連続する偶数枚のページを編集されるページに追加するように編集指示を変更するものである。
【００７１】
また、編集指示変更部２０が、編集指示が１つ以上の画像を有する１ページを追加するものである際に、１つ以上の画像を連続する２ページに跨るように配置された連続する２ページを追加するように編集指示を変更するものである場合について、説明する。
【００７２】
また図６の場合、既に利用者により入力されたアルバム冊子５は、９ページにより構成されている。最初と最後のページはいわゆる白ページである。１ページ目には、一枚の画像Ａが配置されている。２ページ目には二枚の画像Ｂ、画像Ｃが配置されている。３ページ目には三枚の画像Ｄ、画像Ｅ、画像Ｆが配置されている。４ページ目から５ページ目は２ページで１枚の画像Ｇが配置されている。見開きページで１つの画像を表示するように配置されている。
【００７３】
ここで編集指示により１枚の画像しか配置されていない新たな２ページ目を追加するものである場合、編集指示変更部３０は、追加されるページに配置されている画像Ｘを追加される新たな２ページ目から次ページである新たな３ページ目に配置し、連続する２ページで１枚の画像Ｘが配置されるように、編集指示を変更する。
【００７４】
以上により、編集指示変更部２０は、編集指示が複数の画像を有する奇数枚のページ（例えば、１ページ）を追加するものである際に、複数の画像を見開きページの境界部分を跨ぐように配置された連続する偶数枚のページ（例えば、２ページ）を編集されるページに追加するように編集指示を変更するものである。
【００７５】
編集指示変更部２０は、このように編集指示を変更し、表示制御部４０に表示制御部４０に編集された電子アルバムのレイアウト情報を送信する。
【００７６】
また、編集指示変更部２０は、レイアウト記憶部８２に記憶されるアルバム情報を更新するように指令を送信することができる。更新するように指令を受けたレイアウト記憶部８２は、再度見開きページ判定部８５を経由し、表示制御部４０にアルバムを表示するように指令を出しても良い。
【００７７】
表示制御部４０は、編集指示変更部２０またはレイアウト記憶部８５により記憶されたレイアウトのアルバムを連続するアルバムの見開きページＭ１〜Ｍｎ毎に表示する。
【００７８】
上記表示制御部４０は、この表示制御部４０の一部をなす印刷部４２を有しており、この印刷部４２がアルバム冊子用原紙（（図示は省略））に各画像を印刷し、アルバム冊子５を作製する。
【００７９】
表示制御部４０は、上記画像が配置されたページの表示は、連続する２つのページの境目部分を跨るように上記画像を配置する見開きページでの表示をおこなうことができるし、ページ単位で表示することもできる。
【００８０】
上記各画像の表示は、ＣＲＴや液晶モニター等のモニター上に画像を表示する方式である。
【００８１】
また、印刷部４２は、画像を感光材料上に露光しその感光材料を現像して表示する方式を採用することができるし、レーザプリンターやインクジェットプリンターにより印刷する方式を採用してもよい。
【００８２】
アルバム編集装置１００は、このように編集される所定のページ以降に、連続する２つのページの境目部分を跨るように１つ以上の画像が配置される見開きページが存在する場合に、追加または削除ページの編集によって生ずる見開きページの画像のずれを解消することができる。
【００８３】
＜第二の実施形態＞
以下、本発明のアルバム編集装置の第二の実施の形態について説明する。
【００８４】
図９は本発明のアルバム編集装置を実施するための第二の実施形態であるテンプレート設定部３０を内包するアルバム編集装置を示す概略ブロック図である。
【００８５】
ここでは、上述した第一の実施形態に係るアルバム編集装置と異なる構成についてのみ記載することとし、上述の実施形態と同様の構成要素には同符号を付して詳細な説明を省略する。
【００８６】
テンプレート設定部３０は、画像の撮影日時の情報である付帯情報を参照し、画像を嵌め込むための該撮影日時に対応するテンプレートを設定することが可能とするものである。
【００８７】
テンプレート設定部３０は、編集指示変更部２０により変更された編集指示に基づいて追加される連続する偶数枚のページ（例えば、２ページ）に配置された１つ以上の画像に係る撮影日時から、追加される連続する２ページが共に同一のテンプレートとなるように新たなテンプレートを設定し、編集指示を更に変更することを可能とするものである。
【００８８】
具体的には、図７を用いて説明する。まず図７の場合、既に利用者により入力され、かつ編集指示変更部２０により変更された編集指示によるレイアウトのアルバムは、９ページにより構成されている。１ページ目と９ページ目は表紙である。１ページ目には、一枚の画像Ａが配置されている。２ページ目には二枚の画像Ｂ、画像Ｃが配置されている。３ページ目には三枚の画像Ｄ、画像Ｅ、画像Ｆが配置されている。４ページ目には画像Ｇ、５ページ目には画像Ｈ、画像Ｉが配置されている。２ページ目と３ページ目が変更された編集指示により新たに追加された連続する２ページである。
【００８９】
テンプレート設定部３０は、編集指示変更部２０により新たに追加されるページが２ページ目から３ページ目である場合、画像Ｂ〜Ｆの付帯情報から撮影日時を参照し、追加される連続する２ページ（２ページ目から３ページ目）が共に同一のテンプレートとなるように新たなテンプレートを設定するように上記編集指示を更に変更する。
【００９０】
例えば、画像Ｂ〜Ｆが撮影された日が７月から８月のような夏期である場合、夏を想起する色のテンプレートとするような、撮影日と季節色をリンクし、テンプレートを設定してもよい。
【００９１】
このようにテンプレート設定部３０を設けることにより、アルバム編集装置１００は、編集指示変更部２０により変更された編集指示により追加されるページのテンプレートも自動的に設定することが可能となる。更に、追加されるページが見開きページである場合、利用者にとって統一性のあるテンプレートであるとの視覚的効果を奏することが可能となる。また、テンプレートを利用する際には、見開きページ毎のテンプレートを考慮して画像を配置することが可能となる。
【００９２】
＜第三の実施形態＞
以下、本発明のアルバム編集装置の第三の実施の形態について説明する。
【００９３】
図１０は本発明のアルバム編集装置を実施するための第三の実施形態である見開きページ設定部３５を内包するアルバム編集装置を示す概略ブロック図である。
【００９４】
ここでは、上述した第一の実施形態に係るアルバム編集装置と異なる構成についてのみ記載することとし、上述の実施形態と同様の構成要素には同符号を付して詳細な説明を省略する。
【００９５】
また、見開きページ設定部３５は、連続する２つのページからなる１つ以上の見開きページに配置される画像が、同一の撮影日となるように前記編集指示に設定するものである。
【００９６】
具体的には、図８を用いて説明する。まず図７の場合、既に利用者により入力され、かつ編集指示変更部２０により変更された編集指示のレイアウトのアルバムは、９ページにより構成されている。１ページ目と９ページ目は表紙である。１ページ目には、一枚の画像Ａが配置されている。２ページ目には二枚の画像Ｂ、画像Ｃが配置されている。３ページ目には三枚の画像Ｄ、画像Ｅ、画像Ｆが配置されている。４ページ目には画像Ｇ、５ページ目には画像Ｈ、画像Ｉが配置されている。
【００９７】
テンプレート設定部３５は、編集指示変更部２０により新たに追加されるページが２ページ目から３ページ目である場合、画像Ｂ〜Ｆの付帯情報から撮影日時を参照すると、画像Ｂ〜Ｆの画像は全て２月１４日に撮影されたものである。その場合は、追加される連続する２ページ（２ページ目から３ページ目）を一組の見開きページとして設定する。
【００９８】
万一、画像Ｂ〜Ｆが異なる撮影日である場合は、一組の見開きページとしては、相応しくないので、２ページ目から３ページ目を追加しないように上記編集指示を変更する。
【００９９】
また、上述した第一の実施形態に前述したテンプレート設定部３０と見開きページ設定部３５を組み合わせた構成を採用することも可能である。
【０１００】
また、本発明は、デジタルカメラに撮影された画像のみならず、レントゲンや内視鏡のような医療分野に関連する機器により撮影された画像を表示する電子カルテ等にも採用することができる。
【０１０１】
上記第一から第三の実施形態によれば、編集による見開きページに配置された画像がずれることなく電子アルバム、更にはアルバム冊子を作成することができる。
【０１０２】
なお、本発明のアルバム編集装置の機能を実行するためのプログラムをパソコンにインストールし、パソコンにより上記実施形態と同様にアルバムの編集を行なうことが可能である。
【図面の簡単な説明】
【０１０３】
【図１】本発明のアルバム編集方法を実施するアルバム編集装置の第一の実施形態の概略構成を示すブロック図
【図２】本発明のアルバム編集方法を利用しないと生ずる問題アルバムを示す図
【図３】ページ追加を行った際における連続するページへ画像を振り分けたレイアウトを示す図
【図４】ページ追加を行った際における見開きページに変更したレイアウトを示す図
【図５】ページ削除を行った際における連続するページへ画像を振り分けたレイアウトを示す図
【図６】ページ削除を行った際における見開きページに変更したレイアウトを示す図
【図７】撮影画像の撮影日時に応じたテンプレートを表示したレイアウトを示す図
【図８】撮影画像の撮影日時に応じたレイアウトを示す図である。
【図９】本発明のアルバム編集方法を実施するアルバム編集装置の第二の実施形態の概略構成を示すブロック図
【図１０】本発明のアルバム編集方法を実施するアルバム編集装置の第三の実施形態の概略構成を示すブロック図
【符号の説明】
【０１０４】
５      アルバム冊子
２０    編集指示変更部
３０    テンプレート設定部
３５    見開きページ設定部
４０    表示制御部
４２    印刷部
８１    編集入力部
８２    レイアウト記憶部
８５    見開きページ判別部
８９    記録媒体
【図１】
0004685843.tif 000002
【図２】
0004685843.tif 000003
【図３】
0004685843.tif 000004
【図４】
0004685843.tif 000005
【図５】
0004685843.tif 000006
【図６】
0004685843.tif 000007
【図７】
0004685843.tif 000008
【図８】
0004685843.tif 000009
【図９】
0004685843.tif 000010
【図１０】
0004685843.tif 000011